(57)【要約】【課題】空気調和機において、貫流ファンの流れ場に負荷となる要因を与えずに、貫流ファンを構成している各部材の壁面近傍の失速領域の縮小及び剥離の抑制を図ること。【解決手段】空気調和機は、送風される空気と熱交換を行なう熱交換器７と、熱交換器７に送風を行なう貫流ファン８とを室内ユニット２０に備える。貫流ファン８は、周方向に所定の間隔を有して配置された複数の羽根８ｂと、羽根８ｂをその軸方向で仕切っている仕切板８ｃとを備えて構成されている。仕切板８ｃの側面における各羽根８ｂの間に位置する部分には、周方向に延びる剥離抑制用の凹部６ａが設けられている。【選択図】図５
2007010259.tif 000002
【特許請求の範囲】
【請求項１】
送風される空気と熱交換を行なう熱交換器と、前記熱交換器に送風を行なう貫流ファンとを室内ユニットに備え、
前記貫流ファンは、周方向に所定の間隔を有して配置された複数の羽根と、前記羽根をその軸方向で仕切っている仕切板とを備えて構成されている空気調和機において、
前記仕切板の側面における各羽根の間に位置する部分に周方向に延びる凹部を設けたことを特徴とする空気調和機。
【請求項２】
送風される空気と熱交換を行なう熱交換器と、前記熱交換器に送風を行なう貫流ファンとを室内ユニットに備え、
前記貫流ファンは周方向に所定の間隔を有して配置された複数の羽根を備えて構成されている空気調和機において、
前記羽根における内径側先端部に軸方向に延びる凹部または凸部を設けた
ことを特徴とする空気調和機。
【請求項３】
送風される空気と熱交換を行なう熱交換器と、前記熱交換器に送風を行なう貫流ファンとを室内ユニットに備え、
前記貫流ファンは周方向に所定の間隔を有して配置された複数の羽根を備えて構成されている空気調和機において、
前記羽根における外径側先端部に軸方向に延びる凹部または凸部を設けた
ことを特徴とする空気調和機。
【請求項４】
送風される空気と熱交換を行なう熱交換器と、前記熱交換器に送風を行なう貫流ファンとを室内ユニットに備え、
前記貫流ファンは周方向に所定の間隔を有して配置された複数の羽根を備えて構成されている空気調和機において、
前記羽根面に軸方向に延びる凹部を設けた
ことを特徴とする空気調和機。
【請求項５】
請求項１から４の何れかに記載の空気調和機において、前記凹部または凸部を送風方向に複数条になるように設けたことを特徴とする空気調和機。
【発明の詳細な説明】
【技術分野】
【０００１】
本発明は、貫流ファンを送風機として室内ユニットに用いている空気調和機に関するものである。
【背景技術】
【０００２】
従来の空気調和機に用いられるクロスフローファン（貫流ファン）として、特開平９−１１９３９３号公報（特許文献１）に示されたものがある。このクロスフローファンは、周方向に所定の間隔を隔てて放射状に配置されている複数の羽根を、軸方向に所定の間隔を隔てて配置された端板および仕切板で支え、仕切板の側面に径方向に放射状に延びている溝を形成したものであり、この溝が側面近傍の空気を送りかつ整流することによって境界層の剥離を抑制しようとするものである。
【０００３】
また、従来の空気調和機の貫流ファンとして、特開２００３−２８０８９号公報（特許文献２）に示されたものがある。この貫流ファンは、貫流ファンのブレードの肉厚分布の与え方として、外周端から内周方向に向かって徐々に肉厚が増加または減少するにあたり、途中で段差を設けて肉厚が急激に増加する個所を設定したことにより、剥離を抑制し高静圧化させるようにしたものである。
【０００４】
【特許文献１】特開平９−１１９３９３号公報
【特許文献２】特開２００３−０２８０８９号公報
【発明の開示】
【発明が解決しようとする課題】
【０００５】
しかし、特許文献１のクロスフローファンでは、仕切板の側面に形成されている径方向に放射状に延びている溝は、送風方向に沿って延びる溝であるため、十分な剥離抑制効果を持たせることが難しかった。
【０００６】
また、特許文献２の貫流ファンでは、ブレードの途中に設けた段差が流れ場に突き出ているため、貫流ファンの上流側（羽根の外径側から内径側へ向かう流れ）においては流れを妨げる不利な構造となっていた。
【０００７】
本発明の目的は、貫流ファンの流れ場に負荷となる要因を与えずに、貫流ファンを構成している各部材の壁面近傍の失速領域の縮小及び剥離の抑制を図ることができる空気調和機を提供することを目的とする。
【課題を解決するための手段】
【０００８】
前述の目的を達成するための本発明の第１の態様は、送風される空気と熱交換を行なう熱交換器と、前記熱交換器に送風を行なう貫流ファンとを室内ユニットに備え、前記貫流ファンは、周方向に所定の間隔を有して配置された複数の羽根と、前記羽根をその軸方向で仕切っている仕切板とを備えて構成されている空気調和機において、前記仕切板の側面における各羽根の間に位置する部分に周方向に延びる凹部を設けたことである。
【０００９】
また、本発明の第２の態様は、送風される空気と熱交換を行なう熱交換器と、前記熱交換器に送風を行なう貫流ファンとを室内ユニットに備え、前記貫流ファンは周方向に所定の間隔を有して配置された複数の羽根を備えて構成されている空気調和機において、前記羽根における内径側先端部に軸方向に延びる凹部または凸部を設けたことである。
【００１０】
また、本発明の第３の態様は、送風される空気と熱交換を行なう熱交換器と、前記熱交換器に送風を行なう貫流ファンとを室内ユニットに備え、前記貫流ファンは周方向に所定の間隔を有して配置された複数の羽根を備えて構成されている空気調和機において、前記羽根における外径側先端部に軸方向に延びる凹部または凸部を設けたことである。
【００１１】
また、本発明の第４の態様は、送風される空気と熱交換を行なう熱交換器と、前記熱交換器に送風を行なう貫流ファンとを室内ユニットに備え、前記貫流ファンは周方向に所定の間隔を有して配置された複数の羽根を備えて構成されている空気調和機において、前記羽根面に軸方向に延びる凹部を設けたことである。
【００１２】
係る本発明の各態様におけるより好ましい具体的構成は、前記凹部または凸部を送風方向に複数条になるように設けたことである。
【発明の効果】
【００１３】
本発明によれば、貫流ファンの流れ場に負荷となる要因を与えずに、貫流ファンを構成している各部材の壁面近傍の失速領域の縮小及び剥離の抑制を図ることができる空気調和機を提供することができる。
【発明を実施するための最良の形態】
【００１４】
以下、本発明の複数の実施形態について図を用いて説明する。本発明の各実施形態は空気調和機の一例として、熱交換を行なう熱交換器と、送風を行なう貫流ファンとを室内ユニットに備えたセパレート型の空気調和機に適用したものである。各実施形態の図における同一符号は同一物または相当物を示す。なお、それぞれの実施形態を必要に応じて適宜に組み合わせることにより、さらに効果的なものとすることができる。
（第１実施形態）
最初に、本発明の第１実施形態の空気調和機を図１から図９を用いて説明する。
【００１５】
図１は本発明の第１実施形態の空気調和機の室内ユニットを正面から示す概略構造図、図２は図１の室内ユニットの側面から示す概略構造図である。
【００１６】
室内ユニット２０の前面側には前面パネル１が設置されており、上面側には上面グリル２が設置されている。前面パネル１の上部はユニット枠３に取付けられており、前面パネル１は上部を支点にして下部から開閉できるようになっている。また、それとは別に空気調和機の運転中、中腹辺りを支点として前面パネル１の上部が開口するようになっている。前面パネル１は上部をユニット枠３から取外すことができ、ユニット枠３に対して脱着可能となっている。上面グリル２もユニット枠３に取付けられており、脱着可能となっている。室内ユニット２０の下面側には横風向板１１が設置されており、この横風向板１１はケーシング９に取付けられている。室内ユニット２０の空気の吹出口１８は、横風向板１１が回転することで開閉できるようになっている。室内ユニット２０の外観は、以上の前面パネル１、上面グリル２、ユニット枠３、横風向板１１、ケーシング９等によってほぼ構成されている。
【００１７】
室内ユニットの前面パネル１と上面グリル２の直ぐ内側にはプレフィルター４が設置されている。プレフィルター４は、ユニット枠３に取付けられており、スライドさせることでユニット枠３からの脱着が可能となっている。プレフィルター４の内側には空清フィルター５が設置され、室内ユニット前面側に位置されている。空清フィルター５もユニット枠３に取付けられており、脱着できるようになっている。室内ユニット２０の更に内側には熱交換器７が設置され、パイプとフィンで構成されている。熱交換器７は、送風される空気と熱交換を行なうものであり、貫流ファン８を囲うように配置されており、室内ユニット上部側で一箇所、前面側で二箇所の合計三箇所で区切られている。貫流ファン８は、熱交換器に送風を行なうものであり、ケーシング９に挟まれるように配置されている。貫流ファン８の回転軸の端部はモータに連結されている。縦風向板１０はケーシング９に取付けられており、取付け部分を支点として回転するようになっている。冷媒用銅パイプ１６は断熱材に覆われており、ケーシング９近くの室内ユニット背面側に配管されている。給排気用ダクト１４は前面パネル１の背面側下部に配置され、前面パネル１を室内ユニット２０に覆い被せた際に吹出口１８が表から見えるようになっている。
【００１８】
図３は空気調和機の室内ユニット２０に備えられている貫流ファン８の斜視図であり、図４は貫流ファン８を構成している貫流ファンブロック８ａを示している。
【００１９】
空気調和機の室内ユニット２０に備えられている貫流ファン８は、ファン径に対してファン幅が大きいため、強度と製造の面から貫流ファンブロック８ａを軸方向に複数連結して形成されている。このように、貫流ファン８は、軸方向へ幾つかに仕切られるようにして、仕切板８ｃが複数個配置されている。貫流ファン８は、軸受が取付けられた端板とモータへ連結するボスが取付けられた端板とを両端に設置した構造となっている。一つの貫流ファンブロック８ａは、周方向に所定の間隔を有して放射状に配置された複数の羽根８ｂと、羽根８ｂを取付けている仕切板８ｃとから構成されている。仕切板８ｃにおいて、羽根８ｂが取付けられている側面と反対側の側面には、他の貫流ファンブロック８ａを連結するときに他の貫流ファンブロック８ａの羽根８ｂが嵌め込めるように羽根形状に合わせた複数の嵌合溝８ｄが設けられている。
【００２０】
図５は、貫流ファン８を幾つかに仕切っている仕切板８ｃを、貫流ファン８の周方向から見たときの断面図を表しており、図４の領域Ａでの断面となっている。図６は図５における変形例を示す図である。図７は貫流ファンブロック８ａを貫流ファン８の軸方向から見たときの概略図である。図８及び図９は図７における変形例を示す図である。
【００２１】
仕切板８ｃの両側の壁面には、図５及び図７に示すように、周方向に延びる剥離抑制用の凹部６ａを設けている。この凹部６ａは、仕切板８ｃの側面における各羽根８ｂの間に位置する周縁部近傍部分に少なくとも設けられると共に、この実施形態では、周縁部近傍部分の凹部６ａの径方向（換言すれば、送風方向に）に複数条になるように設けられている。また、この実施の形態では、仕切板８ｃの側面における各羽根８ｂの内側に位置する部分にも設けられている。図５に示す凹部６ａの断面は送風方向に概略同じであるが、図６に示す凹部６ａのように送風方向に異ならせてもよい。また、図７に示す凹部６ａの形状は仕切板８ｃまたは羽根８ｂと同心の円形であるが、図８及び図９に示すように螺旋状または断続形状としてもよい。図９の場合には、羽根の間の送風方向にほぼ直交するように延びる形状となっているので、送風方向に均等に凹部６ａの剥離防止効果が働くので、安定した剥離抑止の効果が得られる利点がある。更に、凹部６ａの形状は、図１８に示すように任意の位置における接線と、その位置から最も近い羽根の断面での接線と成す角θの角度が４５°以上となっている。この関係は何れの凹部６ａの形状においてもその条件を満たす部分が存在する。
【００２２】
以上の構成による空気調和機の室内ユニット２０の機能及び動作について、主に冷房・暖房運転を行っている状態を想定して説明する。
【００２３】
前面パネル１の表示部の奥に位置する電気部品ユニットの電装部において、リモコンからの運転信号を受信することで、空気調和機は運転を開始する。電装部の電光色は運転モードに合わせて変化し、前面パネル１の表示部から色彩を確認することで運転モードを判断することができる。運転が開始されると、前面パネル１は中腹辺りが支点となって前方に傾き、室内ユニットの上部が開口するようになっている。横風向板１１は電気部品ユニットからの制御によって回転し、蓋をしていた室内ユニット２０の吹出口を開く。また、リモコンを操作することで横風向板１１と縦風向板１０は電気部品ユニットを介して制御され、室内ユニット２０の風向きを変化させることができる。室内ユニット２０が運転信号を受信すると、室外ユニットも作動する。室外ユニットから送り込まれてきた冷媒は冷媒用銅パイプ１６を介して熱交換器７を循環する。
【００２４】
貫流ファン８を連結しているモータは、電気部品ユニットの制御により、運転状態に合わせて回転される。貫流ファン８は図２において右回り方向に回転し、貫流ファン８が回転し始めると、空気は、主に前面パネル１の開口部と上面グリル２から吸い込まれ、プレフィルター４を通過して室内ユニット２０の内部に流れ込む。この空気は、プレフィルター４を通過する際に、埃等を取り除かれる。プレフィルター４の更に内側に設置している空清フィルター５は、空気の清浄を行っている。
【００２５】
以上の過程を経て、空気は熱交換器７へ流入し熱交換された後、貫流ファン８側へ流れていく。熱交換された空気は、貫流ファン８を軸方向へ幾つかに仕切っている仕切板８ｃによって分流されて貫流ファン８に吸込まれていく。空気は、羽根８ｂの間を通過し、外径側から内径側へ流れる。貫流ファン８の内部に流れ込んだ空気は、再び羽根８ｂの間を通過して内径側から外径側へ向かい、ケーシング９側へ流れ出ていく。仕切板８ｃによって分流されていた空気は、ケーシング９側へ吹出してきたときに再び合流する。空気は、ケーシング９の下流側に設けられた横風向板１１と縦風向板１０により風向きを制御され、室内ユニット２０の吹出口１８から吹出されていく。
【００２６】
また、室内ユニット２０には、給排気機能が加わっており、室外から室内への空気の給気、室内から室外への空気の排気、室内における空気の循環を選択することもできる。これらの給排気機能を使用しているときに、前面パネル１の下部に設置されている給排気用ダクト１４からは気流が吹出している。この給排気用ダクト１４からの気流はケーシング９から吹出してくる空気の気流制御の役目も果たしている。
【００２７】
第１実施形態の空気調和機の機能及び効果について以下に説明する。
【００２８】
運転状態において、貫流ファン８へ流れ込んでくる空気は仕切板８ｃによって分流され、仕切板８ｃ近傍の流れは失速してケーシング９側へ吹出していく。そこで、仕切板８ｃの近傍の失速を抑制するため、仕切板８ｃの壁面に凹部６ａを設けている。壁面近傍では速度が大きく変化している境界層が存在し、壁面からその境界層が剥離してしまうと、その剥離の発生した壁面の下流側では流体の流れが著しく悪くなってしまう。一方、境界層の中に乱れを含ませることで剥離を抑える効果が生れる。故に、壁面の凹部６ａにより境界層中に細かい乱れを与えることで境界層の剥離を抑制することができる。また、凹部６ａの形状は、図１８に示すように任意の位置における接線と、その位置から最も近い羽根の断面での接線と成す角θの角度が４５°以上となっている部分が存在する。そうすることにより、送風方向に対して凹部６ａが十分に対向する位置関係となり、効果的に細かい乱れを発生させることができるようになっている。起伏の形状の例として、図５の起伏部６ａと図６の起伏部６ｂを示しているが、複数の起伏があることが重要であって、それぞれの壁面で起伏の位置を対応させて揃える必要もなく、また図中の起伏形状以外でも良い。起伏部６の位置においても同様であり、複数の起伏があることが重要であって、図７〜図９以外の配置・分割方法でも良い。
【００２９】
以上の構造とすることで、仕切板８ｃの壁面近傍の流れ改善と流れ場への低負荷を両立させるとともに、壁面近傍の流れの悪化を送風機自ら抑制できる高性能な送風機能を備えた空気調和機を実現することができる。
（第２実施形態）
次に、本発明の第２実施形態について図１０から図１３を用いて説明する。この第２実施形態は、次に述べる点で第１実施形態と相違するものであり、その他の点については第１実施形態と基本的には同一であるので、重複する説明を省略する。
【００３０】
図１１は貫流ファン８を構成している羽根８ｂを、貫流ファン８の軸方向から見たときの断面図を表しており、図４の領域Ｂでの断面となっている。図１２と図１３は羽根８ｂの内径側先端部の拡大図であり、図１１の領域Ｃを拡大して示すものである。
【００３１】
この第２実施形態では、図１２（ａ）に示すように、羽根８ｂにおける内径側先端部には軸方向に延びる剥離抑制用の凹部１３ａが設けられている。また、図１２（ｂ）に示すように、凹部１３ａの代わりに、羽根８ｂにおける内径側先端部に軸方向に延びる剥離抑制用の凸部１３ｂを設けるようにしてもよい。または、図１３（ａ）に示すように、羽根８ｂにおける内径側先端部に軸方向に延びる剥離抑制用の凹部１３ａを通風方向に複数条設けるようにしてもよく、或いは、図１３（ｂ）に示すように、羽根８ｂにおける内径側先端部に軸方向に延びる剥離抑制用の凸部１３ｂを通風方向に複数条設けるようにしてもよい。
【００３２】
熱交換器７へ流入し熱交換された空気は、貫流ファン８へ流れ、貫流ファン８を軸方向へ幾つかに仕切っている仕切板８ｃによって分流されて貫流ファン８に吸込まれていく。この空気は、羽根８ｂの間を通過し、外径側から内径側へ流れる。貫流ファン８の内部に流れ込んだ空気は、また羽根８ｂの間を通過して内径側から外径側へ向かい、ケーシング９側へ流れ出ていく。
【００３３】
図１０に示すように、貫流ファン８が回転して送風を行っている運転状態において、羽根８ｂの羽根面近傍の流れは常に変化している。貫流ファン８の吸込みと吹出しが逆転する領域である循環渦１２では、特に流れ場の変化は激しい。貫流ファン８が回転しているときは、羽根８ｂの内径側先端部の流れ場も常に変化しているため、内径側先端部に起因する失速領域及び剥離が発生してしまう。
【００３４】
内径側先端部で剥離が発生してしまうと羽根間の主流の範囲まで影響を与えてしまい、羽根間において流れが悪化する領域が発生してしまう。壁面近傍では速度が大きく変化している境界層が存在し、壁面からその境界層が剥離してしまうと、その剥離の発生した壁面の下流側では流体の流れが著しく悪くなってしまう。一方、境界層の中に乱れを含ませることで剥離を抑える効果が生れる。故に、内径側先端部の近傍の流れを改善するため、上記の凹部１３ａまたは凸部１３ｂを設け、境界層中に細かい乱れを生みだすことで境界層の剥離を抑制することができる。また、羽根先端部は凸凹形状となっても、その形状自体が貫流ファン８の主流を直接妨げることがないため、低負荷と流れ場の改善を両立させることができる。従って、壁面近傍の流れの悪化を送風機自ら抑制できる高性能な送風機能を備えた空気調和機を実現することができる。
（第３実施形態）
次に、本発明の第３実施形態について図１０、図１１、図１４及び図１５を用いて説明する。この第３実施形態は、次に述べる点で第２実施形態と相違するものであり、その他の点については第２実施形態と基本的には同一であるので、重複する説明を省略する。
【００３５】
図１４と図１５は羽根８ｂの外径側先端部の拡大図であり、図１１の領域Ｄを拡大している。この実施形態では、図１４（ａ）に示すように、羽根８ｂの外径側先端部には軸方向に延びる剥離抑制用の凹部１５ａが設けられている。また、図１４（ｂ）に示すように、凹部１５ａの代わりに、羽根８ｂにおける外径側先端部に軸方向に延びる剥離抑制用の凸部１５ｂを設けるようにしてもよい。または、図１５（ａ）に示すように、羽根８ｂにおける外径側先端部に軸方向に延びる剥離抑制用の凹部１５ａを通風方向に複数条設けるようにしてもよく、或いは、図１５（ｂ）に示すように、羽根８ｂにおける外径側先端部に軸方向に延びる剥離抑制用の凸部１５ｂを通風方向に複数条設けるようにしてもよい。
【００３６】
図１０に示すように、貫流ファン８が回転して送風を行っている運転状態において、羽根８ｂの羽根面近傍の流れは常に変化している。貫流ファン８の吸込みと吹出しが逆転する領域である循環渦１２では、特に流れ場の変化は激しい。貫流ファン８が回転しているときは、羽根８ｂの外径側羽根先端の流れ場も常に変化しているため、外径側羽根先端に起因する失速領域及び剥離が発生してしまう。
【００３７】
外径側先端部で剥離が発生してしまうと羽根間の主流の範囲まで影響を与えてしまい、羽根間において流れが悪化する領域が発生してしまう。壁面近傍では速度が大きく変化している境界層が存在し、壁面からその境界層が剥離してしまうと、その剥離の発生した壁面の下流側では流体の流れが著しく悪くなってしまう。一方、境界層の中に乱れを含ませることで剥離を抑える効果が生れる。故に、外径側羽根先端の近傍の流れを改善するため、上記の凹部１５ａまたは凸部１５ｂを設け、境界層中に細かい乱れを生みだすことで境界層の剥離を抑制することができる。また、羽根先端部は凸凹形状となっても、その形状自体が貫流ファン８の主流を直接妨げることがないため、低負荷と流れ場の改善を両立させることができる。従って、壁面近傍の流れの悪化を送風機自ら抑制できる高性能な送風機能を備えた空気調和機を実現することができる。
（第４実施形態）
次に、本発明の第４実施形態について、図１０、図１１、図１６及び図１７を用いて説明する。この第４実施形態は、次に述べる点で第２実施形態または第３実施形態と相違するものであり、その他の点については第２実施形態または第３実施形態と基本的には同一であるので、重複する説明を省略する。
【００３８】
図１６と図１７は羽根８ｂの外径側羽根先端の拡大図であり、図１１の領域Ｅと領域Ｆを拡大して示すものである。各図における（ａ）が領域Ｅの拡大図、（ｂ）が領域Ｆの拡大図である。
【００３９】
この第４実施形態では、羽根８ｂの羽根面の外径側には図１６（ａ）に示すように軸方向に延びる剥離抑制用の凹部１７が設けられ、羽根８ｂの羽根面の内径側には図１６（ｂ）に示すように軸方向に延びる剥離抑制用の凹部１７が設けられている。または、図１７に示すように、羽根８ｂの羽根面には複数の窪み１７が設けられている。または、羽根８ｂの羽根面の外径側に図１７（ａ）に示すように軸方向に延びる剥離抑制用の凹部１７を通風方向に複数条設けるようにしてもよく、或いは、羽根８ｂの羽根面の内径側に図１７（ｂ）に示すように軸方向に延びる剥離抑制用の凹部１７を通風方向に複数条設けるようにしてもよい。
【００４０】
図１０に示しているように、貫流ファン８が回転して送風を行っている運転状態において、羽根８ｂの羽根面近傍の流れは常に変化している。貫流ファンの吸込みと吹出しが逆転する領域である循環渦１２では、特に流れ場の変化は激しい。貫流ファン８が回転しているときは、羽根８ｂの羽根間の流れ場も常に変化しているため、羽根８ｂに起因する失速領域及び剥離が発生してしまう。
【００４１】
羽根８ｂの羽根面で剥離が発生してしまうとその剥離点の下流側では流れが悪化する領域が発生してしまう。壁面近傍では速度が大きく変化している境界層が存在し、壁面からその境界層が剥離してしまうと、その剥離の発生した壁面の下流側では流体の流れが著しく悪くなってしまう。一方、境界層の中に乱れを含ませることで剥離を抑える効果が生れる。故に、羽根８ｂの近傍の流れを改善するため、羽根８ｂの羽根面に上記の凹部１７を設け、境界層中に細かい乱れを生みだすことで境界層の剥離を抑制することができる。また、基準の羽根面から抵抗となる断面が流れ場に突き出ていないので、凹部１７は貫流ファン８の主流を直接妨げることがない。そのため、低負荷と流れ場の改善を両立させている。
【００４２】
以上の構造とすることで、壁面近傍の流れの悪化を送風機自ら抑制できる高性能な送風機能を備えた空気調和機を実現することができる。
【図面の簡単な説明】
【００４３】
【図１】本発明の第１から第４実施形態の空気調和機の室内ユニットを正面から示す概略構造図である。
【図２】本発明の第１から第４実施形態の室内ユニットの側面から示す概略構造図である。
【図３】本発明の第１から第４実施形態の貫流ファンの斜視図である。
【図４】本発明の第１から第４実施形態の貫流ファンブロックの斜視図である。
【図５】本発明の第１実施形態における図４の領域Ａの拡大断面図である。
【図６】図５の変形例を示す図である。
【図７】本発明の第１実施形態における貫流ファンブロックを軸方向から見た概略図である。
【図８】図７の変形例を示す図である。
【図９】図７の別の変形例を示す図である。
【図１０】本発明の第２から第４実施形態に係る貫流ファンの流跡線図である。
【図１１】本発明の第２から第４実施形態に係る貫流ファンの羽根の断面略図である。
【図１２】第２実施形態における図１１のＣ部拡大図である。
【図１３】図１２の変形例を示す図である。
【図１４】第３実施形態における図１１のＤ部拡大図である。
【図１５】図１４の変形例を示す図である。
【図１６】第４実施形態における図１２のＥ部及びＦ部拡大図である。
【図１７】図１６の変形例を示す図である。
【図１８】図７の羽根間の拡大図である。
【符号の説明】
【００４４】
１…前面パネル、２…上面グリル、３…ユニット枠、４…プレフィルター、５…空清フィルター、６ａ、６ｂ…凹部、７…熱交換器、８…貫流ファン、８ａ…貫流ファンブロック、８ｂ…羽根、８ｃ…仕切板、８ｄ…嵌合溝、９…ケーシング、１０…縦風向板、１１…横風向板、１２…循環渦、１３ａ…凹部、１３ｂ…凸部、１４…給排気用ダクト、１５ａ…凹部、１５ｂ…凸部、１６…冷媒用銅パイプ、１７…凹部、１８…吹出口、２０…室内ユニット。
【図１】
2007010259.tif 000003
【図２】
2007010259.tif 000004
【図３】
2007010259.tif 000005
【図４】
2007010259.tif 000006
【図５】
2007010259.tif 000007
【図６】
2007010259.tif 000008
【図７】
2007010259.tif 000009
【図８】
2007010259.tif 000010
【図９】
2007010259.tif 000011
【図１０】
2007010259.tif 000012
【図１１】
2007010259.tif 000013
【図１２】
2007010259.tif 000014
【図１３】
2007010259.tif 000015
【図１４】
2007010259.tif 000016
【図１５】
2007010259.tif 000017
【図１６】
2007010259.tif 000018
【図１７】
2007010259.tif 000019
【図１８】
2007010259.tif 000020